(57)【要約】【課題】製造工程を簡素化できるとともに、携帯の利便性を確保できるフェイスガードを提供する。【解決手段】本考案のフェイスガード１は、光透過性を有し、第１面Ｓ１と第２面Ｓ２とを有する板素材Ｐによって展開形態において平坦に形成され、展開形態から立体形態Ｖ２に組み立てられるフェイスガード１であって、立体形態Ｖ２において、装着者Ｍの顔面に対向して配置されるガード部１０と、ガード部１０の上端部１１に接続され、立体形態Ｖ２において、装着者Ｍの頭部Ｍ１の外周に配置されるバンド部３０と、ガード部１０とバンド部３０との間に配置される折曲部５０と、を備え、折曲部５０においてガード部１０の第１面Ｓ１とバンド部３０の第１面Ｓ１とが重なるように折り曲げられた後、ガード部１０の上端部１１の第１面Ｓ１とバンド部３０の第２面Ｓ２とが内側を面する環状とすることで展開形態から立体形態Ｖ２となる。【選択図】図１
0003231236.tif 000002
【実用新案登録請求の範囲】
【請求項１】
光透過性を有し、第１面と第２面とを有する板素材によって展開形態において平坦に形成され、前記展開形態から立体形態に組み立てられるフェイスガードであって、
前記立体形態において、装着者の顔面に対向して配置されるガード部と、
前記ガード部の上端部に接続され、前記立体形態において、前記装着者の頭部の外周に配置されるバンド部と、
前記ガード部と前記バンド部との間に配置される折曲部と、
を備え、
前記折曲部において前記ガード部の前記第１面と前記バンド部の前記第１面とが重なるように折り曲げられた後、前記ガード部の上端部の前記第１面と前記バンド部の前記第２面とが内側を面する環状とすることで前記展開形態から前記立体形態となることを特徴とするフェイスガード。
【請求項２】
前記折曲部は、前記展開形態において、平面視で上方から下方に向かうにしたがい外側に傾斜する直線状に形成されていることを特徴とする請求項１に記載のフェイスガード。
【請求項３】
前記ガード部の上端部には、前記展開形態において、平面視で前記バンド部から離間し、所定の曲率を有する凹部が形成されていることを特徴とする請求項１または請求項２に記載のフェイスガード。
【請求項４】
前記バンド部の前記第２面は、滑らかとなっていることを特徴とする請求項１から請求項３のいずれか１項に記載のフェイスガード。
【請求項５】
前記バンド部は、前記立体形態において、前記バンド部における前記頭部の周方向の長さを調整する調整機構を有することを特徴とする請求項１から請求項４のいずれか１項に記載のフェイスガード。
【考案の詳細な説明】
【技術分野】
【０００１】
本考案は、フェイスガードに関する。
【背景技術】
【０００２】
ウイルスや菌等の飛沫感染を防ぐフェイスガードが開示されている（例えば、特許文献１参照）。フェイスガードは、フェイスガードを頭部に締結固定できる取付けバンド（バンド部）と、装着者の顔面全体を覆う透明なフロントシールド部（ガード部）と、を備える。
【先行技術文献】
【特許文献】
【０００３】
【特許文献１】登録実用新案第３２２８０２７号公報
【考案の概要】
【考案が解決しようとする課題】
【０００４】
先行技術にあっては、バンド部とガード部とが別個に形成され、互いに組付けられることにより、フェイスガードが製造される。フェイスガードを量産する場合等、生産効率が重視される場合には、バンド部とガード部とを組み付ける工程が煩わしく、製造工程を簡素化することが求められていた。
また、フェイスガードが立体に形成されているため、フェイスガードを外して携帯する場合や、予備のフェイスガードを携帯する場合に、携帯に工夫が要求され、この観点から改良の余地が残されていた。
【０００５】
そこで、本考案は、製造工程を簡素化できるとともに、携帯の利便性を確保できるフェイスガードを提供することを目的とする。
【課題を解決するための手段】
【０００６】
上記目的を達成するため、本考案のフェイスガードは、光透過性を有し、第１面と第２面とを有する板素材によって展開形態において平坦に形成され、前記展開形態から立体形態に組み立てられるフェイスガードであって、前記立体形態において、装着者の顔面に対向して配置されるガード部と、前記ガード部の上端部に接続され、前記立体形態において、前記装着者の頭部の外周に配置されるバンド部と、前記ガード部と前記バンド部との間に配置される折曲部と、を備え、前記折曲部において前記ガード部の前記第１面と前記バンド部の前記第１面とが重なるように折り曲げられた後、前記ガード部の上端部の前記第１面と前記バンド部の前記第２面とが内側を面する環状とすることで前記展開形態から前記立体形態となる。
【０００７】
この構成によれば、フェイスガードは、板素材によって展開形態において平坦に形成されているので、例えば板素材のシートを型で抜くだけで、ガード部とバンド部とが一体化されたフェイスガードを製造できる。したがって、ガード部とバンド部とを別個に形成し組付ける従来のフェイスガードと比べて、製造工程を簡素化できる。
フェイスガードは、折曲部においてガード部の第１面とバンド部の第１面とが重なるように折り曲げられた後、ガード部の上端部の第１面とバンド部の第２面とが内側を面する環状とすることで展開形態から立体形態とすることができる。このため、装着時は立体形態とし、携帯時は展開形態とすることができる。フェイスガードは、展開形態において平坦なので、かさばることなく、容易に携帯できる。よって、フェイスガードは、携帯の利便性を確保できる。
【０００８】
前記折曲部は、前記展開形態において、平面視で上方から下方に向かうにしたがい外側に傾斜する直線状に形成されていてもよい。
【０００９】
立体形態において、折曲部は、展開形態において、平面視で上方から下方に向かうにしたがい外側に傾斜する直線状に形成されている。このため、折曲部は、立体形態として装着者が装着した時、上方から下方に向かうにしたがい前方に傾斜する。これにより、ガード部は、装着時において、上方から下方に向かうにしたがいバンド部から前方に傾斜する。したがって、フェイスガードは、装着時にガード部が装着者の顔面に接触することがないので、快適に使用できる。
【００１０】
前記ガード部の上端部には、前記展開形態において、平面視で前記バンド部から離間し、所定の曲率を有する凹部が形成されていてもよい。
【００１１】
この構成によれば、立体形態において、ガード部の凹部を装着者の額に沿わせて配置できる。これにより、ガード部の上端部に凹部が形成されていない場合と比べて、違和感無くフェイスガードを装着できる。
【００１２】
前記バンド部の前記第２面は、滑らかとなっていてもよい。
【００１３】
この構成によれば、装着された状態でバンド部を装着者の頭部に対して滑らせることができる。これにより、バンド部と一体に形成されたガード部を、装着者の顔面を前方から覆う状態と下端部が装着者の口より上方に配置される状態とに容易に切り替えることができる。したがって、例えば、会話の際はガード部で口を前方から覆い、食事の際はガード部で口を前方から覆わないように切り替えることができるので、利便性を向上できる。よって、装着者は、フェイスガードを外すことなく食事ができ、なおかつ装着者の口から飛沫が飛散してしまうことや、ウイルスや菌等の吸引を抑えることができる。
【００１４】
前記バンド部は、前記立体形態において、前記バンド部における前記頭部の周方向の長さを調整する調整機構を有してもよい。
【００１５】
この構成によれば、立体形態において、バンド部における頭部の周方向の長さを調整できる。これにより、頭部の大きさが異なる様々な装着者にフェイスガードを装着できる。
【考案の効果】
【００１６】
本考案によれば、製造工程を簡素化できるとともに、携帯の利便性を確保できるフェイスガードを提供することができる。
【図面の簡単な説明】
【００１７】
【図１】本考案の実施形態に係るフェイスガードを装着者の頭部に装着した側面図。
【図２】実施形態に係るフェイスガードを立体に組み立てた斜視図。
【図３】実施形態に係るフェイスガードを平坦に展開した平面図。
【図４】実施形態に係る立体形態における調整機構の斜視図。
【図５】実施形態に係るフェイスガードを組み立てる例を示す第１説明図である。
【図６】実施形態に係るフェイスガードを組み立てる例を示す第２説明図である。
【図７】実施形態に係るフェイスガードを組み立てる例を示す第３説明図である。
【考案を実施するための形態】
【００１８】
（フェイスガード）
以下、本考案の実施形態を図面に基づいて説明する。なお、以下の説明では、略同一又は類似の機能を有する構成に同一の符号を付して、重複する説明を省略する場合がある。
図１は、フェイスガード１を装着者Ｍの頭部Ｍ１に装着した側面図である。
図２は、フェイスガード１を立体に組み立てた斜視図である。
図１、図２に基づいて、第１面Ｓ１と第２面Ｓ２とを有する板素材Ｐによって展開形態Ｖ１において平坦に形成され、展開形態Ｖ１から立体形態Ｖ２に組み立てられるフェイスガード１について説明する。以下、上下左右前後方向は、装着者Ｍがフェイスガード１を装着した時の装着者Ｍから見た上下左右前後方向と一致する。また、図中において、上方をＵＰ、下方をＤＷ、左方をＬ、右方をＲ、前方をＦ、後方をＢで示す。また、以下、装着者Ｍの頭部Ｍ１の周方向を単に「周方向」とする。
図１、図２に示すように、フェイスガード１は、装着者Ｍの頭部Ｍ１のうち顔面を覆うように形成されている。フェイスガード１の板素材Ｐは、光透過性を有する透明な材料である。板素材Ｐは、ポリエチレンテレフタレート（ＰＥＴ：Ｐｏｌｙｅｔｈｙｌｅｎｅ  Ｔｅｒｅｐｈｔｈａｌａｔｅ）である。板素材Ｐの第１面Ｓ１と第２面Ｓ２は、滑らかとなっている。板素材Ｐの厚みは、例えば０．２ｍｍである。板素材Ｐは、例えばＰＥＴのシートから一度の型抜き加工により形成される。型抜き加工で生じた板素材Ｐの余りのスクラップは、リサイクル可能である。フェイスガード１は、ガード部１０と、バンド部３０と、折曲部５０と、を備えている。
【００１９】
ガード部１０は、立体形態Ｖ２において、装着者Ｍの顔面に対向して配置される。バンド部３０は、立体形態Ｖ２において、装着者Ｍの頭部Ｍ１の外周に配置される。折曲部５０は、立体形態Ｖ２において、装着者Ｍの頭部Ｍ１のこめかみに配置される。
【００２０】
以下、フェイスガード１を平坦に展開した状態を図３に基づいて説明する。
図３は、フェイスガード１を平坦に展開した平面図である。
図３に示すように、ガード部１０は、下方に向かうにしたがい幅狭となる台形状に形成されている。ガード部１０は、左右方向の中心線Ｃを挟んで、線対称に形成されている。ガード部１０は、上端部１１と、下端部１２と、右端部１３と、左端部１４と、を有している。
上端部１１の上辺１１ａは、左右方向に沿っている。上端部１１には、所定の曲率を有する凹部１５が形成されている。凹部１５は、平面視で上方に開口するＵ字状に形成されている。凹部１５の曲率は、左右方向の外側から左右方向の中間部に向かうにしたがい、漸次小さくなっている。凹部１５は、立体形態Ｖ２において、装着者Ｍの額に沿って配置される（図１参照）。
下端部１２の下辺１２ａは、上辺１１ａと平行となっている。下辺１２ａは、上辺１１ａよりも短い。
【００２１】
右端部１３は、下端部１２の右端と上端部１１の右端とを接続する。右端部１３は、第１右接続辺１８ａと、第１右辺１８と、第２右接続部１７ａと、第２右辺１７と、第３右接続部１６ａと、第３右辺１６と、を有している。
第１右接続辺１８ａは、下辺１２ａの右端から、外側に湾曲しながら上方に延びている。第１右辺１８は、第１右接続辺１８ａの上端から、内側に湾曲しながら上方に延びている。第２右接続部１７ａは、第１右辺１８の上端に設けられ、Ｒ面取りが施された部分である。第２右辺１７は、第２右接続部１７ａから上方に直線状に延びている。第３右接続部１６ａは、第２右辺１７の上端に設けられている。第３右辺１６は、第３右接続部１６ａから、外側に湾曲しながら上方に延びている。第３右辺１６は、第３右接続部１６ａにおいて、第２右辺１７と直交して接続している。第３右辺１６の上端は、上辺１１ａよりも下方に位置している。
【００２２】
左端部１４は、中心線Ｃを挟んで右端部１３と線対称に形成されている。左端部１４は、第１左接続辺２１ａと、第１左辺２１と、第２左接続部２０ａと、第２左辺２０と、第３左接続部１９ａと、第３左辺１９と、を有している。左端部１４の各構成の説明は、省略する。
【００２３】
バンド部３０は、ガード部１０よりも上方に位置している。バンド部３０は、バンド部本体３０ｃと、右突起片３０ｄと、左突起片３０ｅと、調整機構４０と、を有している。
【００２４】
バンド部本体３０ｃは、左右方向に延びる帯状に形成されている。バンド部本体３０ｃは、左右方向に延びる上辺３１と、上辺３１と平行な下辺３２と、上辺３１の左右方向の両端部３１ａからそれぞれ下方に延びる右辺３３および左辺３４と、を有している。バンド部本体３０ｃは、凹部１５よりも左右方向の外側において、下辺３２と上辺１１ａとの間にスリット３５を形成している。バンド部本体３０ｃは、凹部１５から離間している。
【００２５】
右突起片３０ｄは、バンド部３０の右端部３０ａに設けられている。右突起片３０ｄは、バンド部本体３０ｃの右端部から下方に突出している。右突起片３０ｄの右辺３６は、バンド部本体３０ｃの右辺３３の下端からガード部１０の第３右辺１６の上端まで、外側に湾曲しながら延びている。
【００２６】
左突起片３０ｅは、バンド部３０の左端部３０ｂに設けられ、中心線Ｃを挟んで右突起片３０ｄと線対称に形成されている。左突起片３０ｅは、左辺３７を有している。左突起片３０ｅの各構成の説明は、省略する。
【００２７】
図４は、立体形態Ｖ２における調整機構４０の斜視図である。
図３、図４に示すように、調整機構４０は、バンド部本体３０ｃの左右方向における中間部に設けられている。
調整機構４０は、バンド部３０の周方向における長さを調節するものである。調整機構４０は、係止スリット４１と、係止片４２と、を有している。
【００２８】
係止スリット４１は、バンド部本体３０ｃの左右方向における中間よりも左方に複数形成されている。複数の係止スリット４１は、左右方向に並んで等間隔に４本形成されている。係止スリット４１は、スリット本体４３と、端部スリット４４と、を有している。スリット本体４３は、上下方向に延びている。端部スリット４４は、スリット本体４３の上下方向の両端部に設けられている。端部スリット４４は、スリット本体４３から右方向に延びている。端部スリット４４の長さは、スリット本体４３の長さよりも短い。
【００２９】
係止片４２は、バンド部本体３０ｃの左右方向における中間よりも右側に形成されている。係止片４２は、バンド部本体３０ｃを型により切断して形成されている。係止片４２は、展開形態Ｖ１において、バンド部本体３０ｃと面一となっている。係止片４２は、係止片本体４５と、係合部４６と、を有している。
係止片本体４５は、左右方向に延びている。係止片本体４５の右端は、バンド部本体３０ｃと連続している。係止片本体４５は、バンド部本体３０ｃとの境界を折り目として第１面Ｓ１側と第２面Ｓ２側とに折り曲げ可能となっている。係合部４６は、係止片本体４５よりも左方に形成される。係合部４６は、係止片本体４５から離間するにしたがい幅狭となる台形状に形成されている。係合部４６は、上下方向の両端部に、フック部４６ａを有している。係合部４６は、フック部４６ａの部分において、係止片本体４５よりも幅広に形成されている。
図４に示すように、上述した係止片４２は、係止スリット４１に差し込むことで、バンド部本体３０ｃに係止される。これにより、互いに係合する係止スリット４１と係止片４２との間のバンド部本体３０ｃには、たるみ部が形成される。バンド部３０は、たるみ部の分だけ周方向の長さが見かけ上短くなる。
【００３０】
図３に示すように、折曲部５０は、左右方向に離間して一対設けられている。一対の折曲部５０は、中心線Ｃを挟んで線対称に形成されている。右方の折曲部５０は、ガード部１０の右上端部１０ａとバンド部３０の右端部３０ａとの間に設けられている。左方の折曲部５０は、ガード部１０の左上端部１０ｂとバンド部３０の左端部３０ｂとの間に設けられている。折曲部５０は、展開形態Ｖ１において、平面視で上方から下方に向かうにしたがい左右方向の外側に傾斜する直線状に形成された折り目である。
【００３１】
（フェイスガードの組み立て方法）
以下、展開形態Ｖ１のフェイスガード１を立体形態Ｖ２に組み立てる例を図５から図７に基づいて説明する。
図５は、フェイスガード１を組み立てる例を示す第１説明図である。図６は、フェイスガード１を組み立てる例を示す第２説明図である。図７は、フェイスガード１を組み立てる例を示す第３説明図である。
まず、装着者Ｍ（図１参照）は、展開形態Ｖ１（図３参照）のフェイスガード１の第１面Ｓ１を手Ｈで持ち、装着者Ｍ側に向ける。
続いて、図５に示すように、装着者Ｍは、折曲部５０において、バンド部３０の右端部３０ａと左端部３０ｂとをそれぞれ、後方に折り曲げる。これにより、バンド部３０における右端部３０ａの第１面Ｓ１は、ガード部１０における右上端部１０ａの第１面Ｓ１と重なる。バンド部３０における左端部３０ｂの第１面Ｓ１は、ガード部１０における左上端部１０ｂの第１面Ｓ１と重なる。装着者Ｍは、右端部３０ａおよび右上端部１０ａと、左端部３０ｂおよび左上端部１０ｂと、を重なった状態で保持する。
【００３２】
続いて、図６に示すように、装着者Ｍは、バンド部３０の右端部３０ａと左端部３０ｂとにそれぞれ左右方向の内側かつ前方に向けて捻る力を加える。これにより、装着者Ｍは、バンド部本体３０ｃの左右方向の中間部をガード部１０よりも前方から後方に回転移動させる。バンド部３０は、展開形態Ｖ１から上下方向に一回転し、ガード部１０は、前方に張り出すように湾曲する。
これにより、図７に示すように、ガード部１０の上端部１１の第１面Ｓ１とバンド部３０の第２面Ｓ２とが内側を面する環状となる。フェイスガード１は、装着者Ｍの頭部Ｍ１に装着可能となる。このようにして、フェイスガード１は、展開形態Ｖ１から立体形態Ｖ２に組み立てられる。
【００３３】
（フェイスガードの調整方法）
以下、立体形態Ｖ２に組み立てられたフェイスガード１の調整方法を図１、図４に基づいて説明する。
まず、装着者Ｍの顔面に対するガード部１０の角度の調整方法について説明する。
図１に示すように、装着者Ｍは、頭部Ｍ１に装着された状態でバンド部３０を頭部Ｍ１に対して上下方向に滑らせる。ガード部１０は、左右方向から見てバンド部３０に対して一定の角度で傾斜している。このため、装着者Ｍは、バンド部３０を上下方向に滑らせることにより、装着者Ｍの顔面に対するガード部１０の角度を調整できる。これにより、ガード部１０は、例えば、装着者Ｍの顔面を前方から覆う状態（実線部）と下端部１２が装着者Ｍの口より上方に配置される状態（破線部）とに切り替えられる。よって、装着者Ｍは、フェイスガード１を外すことなく食事ができ、なおかつ装着者Ｍの口から飛沫が飛散してしまうことや、ウイルスや菌等の吸引を抑えることができるようになる。
【００３４】
続いて、調整機構４０によるバンド部３０の周方向の長さの調整方法について説明する。
図４に示すように、装着者Ｍは、立体形態において、バンド部本体３０ｃの左右方向の中間部を曲げてたわみ部を形成し、たわみ部を後方に突出させる。これにより、バンド部３０の周方向の長さが見かけ上短くなる。装着者Ｍは、バンド部本体３０ｃの左右方向の中間部を曲げた状態で、係止スリット４１に係止片４２を差し込む。係止片４２が差し込まれる際、フック部４６ａは、端部スリット４４を通過する。端部スリット４４を通過したフック部４６ａは、バンド部本体３０ｃの第１面Ｓ１と係止する。フック部４６ａとバンド部本体３０ｃの第１面Ｓ１とが係止することにより、バンド部本体３０ｃが曲げられた状態で維持される。このようにして、バンド部３０の周方向の長さが調整される。
【００３５】
上述の実施形態によれば、以下の作用および効果が得られる。
本実施形態では、フェイスガード１は、板素材Ｐによって展開形態Ｖ１において平坦に形成されているので、例えば板素材Ｐのシートを型で抜くだけで、ガード部１０とバンド部３０とが一体化されたフェイスガード１を製造できる。したがって、ガード部１０とバンド部３０とを別個に形成し組付ける従来のフェイスガードと比べて、製造工程を簡素化できる。
フェイスガード１は、折曲部５０においてガード部１０の第１面Ｓ１とバンド部３０の第１面Ｓ１とが重なるように折り曲げられた後、ガード部１０の上端部１１の第１面Ｓ１とバンド部３０の第２面Ｓ２とが内側を面する環状とすることで展開形態Ｖ１から立体形態Ｖ２とすることができる。このため、装着時は立体形態Ｖ２とし、携帯時は展開形態Ｖ１とすることができる。フェイスガード１は、展開形態Ｖ１において平坦なので、かさばることなく、容易に携帯できる。よって、フェイスガード１は、携帯の利便性を確保できる。
【００３６】
本実施形態では、立体形態において、折曲部５０は、展開形態Ｖ１において、平面視で上方から下方に向かうにしたがい外側に傾斜する直線状に形成されている。このため、折曲部５０は、立体形態Ｖ２として装着者Ｍが装着した時、上方から下方に向かうにしたがい前方に傾斜する。これにより、ガード部１０は、装着時において、上方から下方に向かうにしたがいバンド部３０から前方に傾斜する。したがって、フェイスガード１は、装着時にガード部１０が装着者Ｍの顔面に接触することがないので、快適に使用できる。
【００３７】
本実施形態では、ガード部１０の上端部１１には、展開形態Ｖ１において、平面視でバンド部３０から離間し、所定の曲率を有する凹部１５が形成されている。この構成によれば、立体形態において、ガード部１０の凹部１５を装着者Ｍの額に沿わせて配置できる。これにより、ガード部１０の上端部１１に凹部１５が形成されていない場合と比べて、違和感無くフェイスガード１を装着できる。
【００３８】
本実施形態では、バンド部３０の第２面Ｓ２は、滑らかとなっている。この構成によれば、装着された状態でバンド部３０を装着者Ｍの頭部Ｍ１に対して滑らせることができる。これにより、バンド部３０と一体に形成されたガード部１０を、装着者Ｍの顔面を前方から覆う状態と下端が装着者Ｍの口より上方に配置される状態とに容易に切り替えることができる。したがって、例えば、会話の際はガード部１０で口を前方から覆い、食事の際はガード部１０で口を前方から覆わないように切り替えることができるので、利便性を向上できる。よって、装着者Ｍは、フェイスガード１を外すことなく食事ができ、なおかつ装着者Ｍの口から飛沫が飛散してしまうことや、ウイルスや菌等の吸引を抑えることができる。
【００３９】
本実施形態では、バンド部３０は、立体形態Ｖ２において、バンド部３０の周方向の長さを調整する調整機構４０を有している。この構成によれば、立体形態Ｖ２において、バンド部３０における頭部Ｍ１の周方向の長さを調整できる。これにより、頭部Ｍ１の大きさが異なる様々な装着者Ｍにフェイスガード１を装着できる。
【００４０】
以上、本考案の好ましい実施形態を説明したが、本考案はこれら実施形態に限定されることはない。本考案の趣旨を逸脱しない範囲で、構成の付加、省略、置換、およびその他の変更が可能である。本考案は上述した説明によって限定されることはなく、添付の特許請求の範囲によってのみ限定される。
例えば、上記実施形態では、板素材Ｐは、ＰＥＴであるとしたがこれに限られず、光透過性を有し、変形容易な材料であればよい。
【００４１】
その他、本考案の趣旨を逸脱しない範囲で、上述した実施形態における構成要素を周知の構成要素に置き換えることは適宜可能であり、また、上述した各変形例を適宜組み合わせてもよい。
【符号の説明】
【００４２】
１  フェイスガード
１０  ガード部
１１  上端部
１５  凹部
３０  バンド部
４０  調整機構
５０  折曲部
Ｍ  装着者
Ｍ１  頭部
Ｐ  板素材
Ｓ１  第１面
Ｓ２  第２面
Ｖ１  展開形態
Ｖ２  立体形態
【図１】
0003231236.tif 000003
【図２】
0003231236.tif 000004
【図３】
0003231236.tif 000005
【図４】
0003231236.tif 000006
【図５】
0003231236.tif 000007
【図６】
0003231236.tif 000008
【図７】
0003231236.tif 000009